(57)【特許請求の範囲】
【請求項１】
１本或いは２本のＬ型フックを有する固定具に固定される被固定側装置であって、該被固定側装置は、ジョイント部にＬ型フックを挿入可能な垂直方向に延在する凹条部が同一高さに３列並設され、両側の前記凹条部は、中央に設けられた凹条部より等間隔離間して設けられると共に、２本のＬ型フックを有する前記固定具の前記Ｌ型フックの離間距離と同一距離離間して形成されていることを特徴するＬ型フックに係合するジョイント部を備えた被固定側装置。
【請求項２】
前記Ｌ型フックに係合するジョイント部を備えた被固定側装置は、カーインテリア用品である請求項１に記載のＬ型フックに係合するジョイント部を備えた被固定側装置。
【請求項３】
前記Ｌ型フックに係合するジョイント部を備えた被固定側装置は、モバイルホルダーである請求項１または２に記載のＬ型フックに係合するジョイント部を備えた被固定側装置。
【発明の詳細な説明】
【技術分野】
【０００１】
本発明は、例えばＬ型フックを有したカーインテリア用品固定具（スタンド）に取り付けられるカーインテリア用品等、Ｌ型フックに係合するジョイント部を備えた被固定側装置を関するものである。
【背景技術】
【０００２】
従来より、Ｌ型フックは、カーナビゲーション装置、モニター装置、テレビ受信モニター装置、レーダー探知装置、無線装置または送受信装置などの車載機器、多機能情報端末（例えば米国Ａｐｐｌｅ社のｉＰａｄ）や携帯電話機（モバイル）を保持させるモバイルホルダー、ボトルホルダーまたはカップホルダー等様々なカーインテリア用品の車内への固定に使用されている。また、Ｌ型フックはカーテンテリア用品以外にも広く使用されており、例えば船舶用機器の固定、自転車やモーターバイクへの各種機器の固定、壁面等への照明器具、時計またはテレビモニター装置などの固定などにも使用されている。
【０００３】
ところで、このＬ型フックの第１類型としては、図１０に示したカーインテリア用品固定具（スタンド）５０のように、板状ベース５１の中央付近に正面側に向かって若干突出する１つのＬ型フック５２と、このＬ型フック５２の下部に設けられた抜け止め用凸部５３とを有したものがある。このようなフック機構を備えた固定具に対しては、図１１に示すように、Ｌ型フック５２と抜け止め用凸部５３を挿入可能な１本の凹条部７１を有したジョイント部７２を備えた被固定側装置７０を係合固定させていた。
【０００４】
また、Ｌ型フックの第２類型としては、図１２に示したカーインテリア用品固定具（スタンド）６０のように、板状ベース６１の水平方向の両側に正面側に向かって若干突出する２本のＬ型フック６２ａ，６２ｂと、これらＬ型フック６２ａ，６２ｂの間でかつ下部に設けられた抜け止め用凸部６３とを有したものがある。そして、このようなフック機構を備えた固定具に対しては、図１３に示すように、Ｌ型フック６２ａ，６２ｂをそれぞれ挿入可能な２本の凹条部８１ａ，８１ｂと、２本の凹条部８１ａ，８１ｂの間でかつ下部に設けられ抜け止め用凸部６３を挿入可能な凹部８２を有したジョイント部８３を備えた被固定側装置８０を係合固定させていた。
【０００５】
この点、例えば、図１０に示した１つのＬ型フック５２を有する固定具５０に対して、図１３に示した２本の凹条部８１ａ，８１ｂを有する被固定側装置８０を固定すると、凹条部８１ａ，８１ｂのいずれかにＬ型フック５２を挿入することとなり、被固定側装置８０を固定具５０にバランスよく固定することができなかった。他方、図１２に示した２つのＬ型フック６２ａ，６２ｂを有する固定具６０に対して、図１１に示した１本の凹条部７１を有する被固定側装置７０を固定しても、凹条部７１にＬ型フック６２ａ，６２ｂのいずれかを挿入することになり、被固定側装置７０を固定具６０にバランスよく固定することができなかった。
【先行技術文献】
【特許文献】
【０００６】
【特許文献１】引用なし
【発明の概要】
【発明が解決しようとする課題】
【０００７】
そこで、本発明の課題は、１本或いは２本のＬ型フックを有する固定具のいずれに対しても、バランスよくかつ確実に固定することができるＬ型フックに係合するジョイント部を備えた被固定側装置を提供することにある。
【課題を解決するための手段】
【０００８】
上記課題を解決するものは、１本或いは２本のＬ型フックを有する固定具に固定される被固定側装置であって、該被固定側装置は、ジョイント部にＬ型フックを挿入可能な垂直方向に延在する凹条部が同一高さに３列並設され、両側の前記凹条部は、中央に設けられた凹条部より等間隔離間して設けられると共に、２本のＬ型フックを有する前記固定具の前記Ｌ型フックの離間距離と同一距離離間して形成されていることを特徴するＬ型フックに係合するジョイント部を備えた被固定側装置である。
【０００９】
前記Ｌ型フックに係合するジョイント部を備えた被固定側装置は、カーインテリア用品であることが好ましい。前記Ｌ型フックに係合するジョイント部を備えた被固定側装置は、モバイルホルダーであってもよい。
【発明の効果】
【００１０】
請求項１に記載した発明によれば、１本或いは２本のＬ型フックを有する固定具のいずれに対しても、バランスよくかつ確実に固定することができるＬ型フックに係合するジョイント部を備えた被固定側装置となる。
請求項２に記載した発明によれば、１本或いは２本のＬ型フックを有する固定具のいずれに対しても、バランスよくかつ確実に固定することができるＬ型フックに係合するジョイント部を備えたカーインテリア用品となる。
請求項３に記載した発明によれば、１本或いは２本のＬ型フックを有する固定具のいずれに対しても、バランスよくかつ確実に固定することができるＬ型フックに係合するジョイント部を備えたモバイルホルダーとなる。
【図面の簡単な説明】
【００１１】
【図１】本発明のＬ型フックに係合するジョイント部を備えた被固定側装置をモバイルホルダーに適用した一実施例の斜視図である。
【図２】図１に示したモバイルホルダーの固定状態を説明するための背面側斜視図である。
【図３】図１に示したモバイルホルダーの固定状態を説明するための正面側斜視図である。
【図４】図１に示したモバイルホルダーの固定状態を示した背面図である。
【図５】図４のＡ−Ａ線端面図である。
【図６】図４のＢ−Ｂ線端面図である。
【図７】図１に示したモバイルホルダーの他の固定具による固定状態を示した背面図である。
【図８】図７のＣ−Ｃ線端面図である。
【図９】図８のＤ−Ｄ線端面図である。
【図１０】本発明のＬ型フックに係合するジョイント部を備えた被固定側装置を固定する固定具の一実施例の斜視図である。
【図１１】従来のＬ型フックに係合するジョイント部を備えた被固定側装置の一実施例の背面側斜視図である。
【図１２】本発明のＬ型フックに係合するジョイント部を備えた被固定側装置を固定する固定具の他の実施例の斜視図である。
【図１３】従来のＬ型フックに係合するジョイント部を備えた被固定側装置の他の実施例の背面側斜視図である。
【発明を実施するための形態】
【００１２】
本発明では、ジョイント部２にＬ型フックを挿入可能な垂直方向に延在する凹条部３ａ，３ｂ，３ｃを３列並設したことによって、１本或いは２本のＬ型フックを有する固定具のいずれに対してもバランスよくかつ確実に固定することができるＬ型フックに係合するジョイント部２を備えた被固定側装置１を実現した。
【実施例１】
【００１３】
本発明のＬ型フックに係合するジョイント部を備えた被固定側装置を図１ないし図９に示した一実施例を用いて説明する。
この実施例のＬ型フックに係合するジョイント部を備えた被固定側装置１は、図１に示すように、ジョイント部２にＬ型フックを挿入可能な垂直方向に延在する凹条部３ａ，３ｂ，３ｃが３列並設されていることを特徴するものである。以下、各構成について順次詳述する。
【００１４】
この実施例のＬ型フックに係合するジョイント部を備えた被固定側装置１は、自動車の車内に固定されるモバイルホルダーである。
【００１５】
なお、本願において「被固定側装置」とは、Ｌ型フックを備えた固定具によって固定される側の器具や機械を広く包含する概念であり、例えば、カーナビゲーション装置、モニター装置、テレビ受信モニター装置、レーダー探知装置、無線装置または送受信装置などの車載機器、多機能情報端末や携帯電話機（モバイル）を保持させるモバイルホルダー、ボトルホルダーまたはカップホルダー等様々なカーインテリア用品の他、船舶用機器、自転車やモーターバイクに固定される各種機器（例えば、自転車またはモーターバイク用モバイルホルダー）、壁面等へ固定される照明器具、時計またはテレビモニター装置などカーテンテリア用品以外も広く含まれる概念である。
【００１６】
モバイルホルダー１は、図１ないし図３に示すように、ホルダー本体４と、ホルダー本体４の背面４ａ側中央付近に設けられたジョイント部２と、ホルダー本体４の正面４ｂ側に設けられたホルダー部５とを有している。
【００１７】
ホルダー本体４は、保持する多機能情報端末や携帯電話機に対応した形態（正面視または背面視で縦長の略四角形）に形成されており、樹脂材料にて一体成形されている。
【００１８】
ジョイント部２は、カーインテリア用品固定具（スタンド）５０，６０と接合させる部位であり、図５または図６に示すように、ホルダー本体４の背面側中央付近において、背面側に向かって略台形状に若干突出する形態に形成されている。
【００１９】
ジョイント部２には、図１に示すように、カーインテリア用品固定具（スタンド）５０，６０のＬ型フックを挿入可能な垂直方向に延在する凹条部３ａ，３ｂ，３ｃが３列並設されている。これにより、１本或いは２本のＬ型フックを有する固定具５０，６０のいずれに対してもバランスよくかつ確実に固定することができるモバイルホルダーとなる。
【００２０】
具体的には、カーインテリア用品固定具（スタンド）５０のような１つのＬ型フック５２を有する固定具によって車内にモバイルホルダー１を固定する場合は、図４または図５に示すように、３列の凹条部３ａ，３ｂ，３ｃのうち、中央の凹条部３ｂ内にＬ型フック５２と抜け止め用凸部５３を挿入してモバイルホルダー１をカーインテリア用品固定具（スタンド）５０に固定する。これにより、モバイルホルダー１をカーインテリア用品固定具（スタンド）５０の中央にバランスよく固定することができる。
【００２１】
他方、カーインテリア用品固定具（スタンド）６０のような２つのＬ型フック６２ａ，６２ｂを有する固定具によって車内にモバイルホルダー１を固定する場合は、図８または図９に示すように、３列の凹条部３ａ，３ｂ，３ｃのうち、両側の凹条部３ａ，３ｃｂ内にそれぞれＬ型フック６２ａ，６２ｂを挿入し、凹条部３ｂ内に抜け止め用凸部６３を挿入してモバイルホルダー１をカーインテリア用品固定具（スタンド）５０に固定する。これにより、モバイルホルダー１をカーインテリア用品固定具（スタンド）６０の中央にバランスよく固定することもできる。
【００２２】
なお、凹条部３ａ，３ｂ，３ｃは同一形態に形成されており、凹条部３ｂはホルダー本体４の中央部に設けられ、さらに、凹条部３ａ，３ｃは、中央に設けられた凹条部３ｂより等間隔離間して設けられている。これらの構成によって、固定具に対してよりバランスよくモバイルホルダー１を固定することができる。
【００２３】
ホルダー部５は、多機能情報端末や携帯電話機を保持させる部位であり、ホルダー本体４の背面側全体が凹状に形成されることにより構成されている。また、ホルダー部５を区画形成する周縁部の先端側が若干内側に向かって湾曲するように形成されることにより、ホルダー本体部４を形成する樹脂材料の可撓性と相俟って、ホルダー部５に多機能情報端末や携帯電話機を着脱自在に保持できるよう構成されている。
【００２４】
つぎに、モバイルホルダー１の使用方法について説明する。
モバイルホルダー１は、カーインテリア用品固定具（スタンド）５０，６０を介して車内に固定されて使用される。
【００２５】
カーインテリア用品固定具（スタンド）５０は、図５に示すように、コネクター５４とコネクター保持体５６とから構成されている。コネクター５４は、先端側にＬ型フック５２と抜け止め用凸部５３とを備えた板状ベース５１と、基端側にコネクター５４を広角度に回動可能とする球状自在軸５５と有している。コネクター保持体５６は、球状自在軸５５を保持する自在軸受け５７と背面側で車内に固着させる固着板５８を有している。
【００２６】
同様に、カーインテリア用品固定具（スタンド）６０は、図８または図９に示すように、コネクター６４と、コネクター保持体６６とから構成されている。コネクター６４は、先端側にＬ型フック６２ａ，６２ｂと抜け止め用凸部６３とを備えた板状ベース６１と、基端側にコネクター６４を広角度に回動可能とする球状自在軸６５と有している。コネクター保持体６６は、球状自在軸６５を保持する自在軸受け６７と背面側で車内に固着させる固着板６８を有している。
【００２７】
そして、まず、カーインテリア用品固定具（スタンド）５０，６０のいずれかを固着板５８の背面側に設けられた粘着層（図示しない）を介して車内に固着する。つぎに、カーインテリア用品固定具（スタンド）の板状ベース（５１，６１のいずれか）に、ジョインド部２を介してモバイルホルダー１を固定する。この際、固定具がカーインテリア用品固定具（スタンド）５０である場合は，図５または図６に示すように、凹条部３ｂのみを用いてカーインテリア用品固定具（スタンド）５０の中央にモバイルホルダー１を固定する。他方、固定具がカーインテリア用品固定具（スタンド）６０である場合は，図５または図６に示すように、凹条部３ａ，３ｃにＬ型フック６２ａ，６２ｂをそれぞれ挿入し、凹条部３ｂに抜け止め用凸部６３を挿入してカーインテリア用品固定具（スタンド）６０の中央にモバイルホルダー１を固定する。
【００２８】
カーインテリア用品固定具（スタンド）５０，６０を介して車内に固定されたモバイルホルダー１のホルダー部５には、多機能情報端末や携帯電話機を着脱自在に装着することができ、また、コネクター５４，６４が広角度に回動自在に構成されていることにより、多機能情報端末や携帯電話機を所望の向きに保持させて使用することができる。
【００２９】
以上のように、本発明のＬ型フックに係合するジョイント部２を備えた被固定側装置１（モバイルホルダー）は、１本或いは２本のＬ型フックを有する固定具５０，６０のいずれに対してもバランスよくかつ確実に固定し使用することができるように構成されている。
【符号の説明】
【００３０】
１    Ｌ型フックに係合するジョイント部を備えた被固定側装置（モバイルホルダー）
２    ジョイント部
３ａ  凹条部
３ｂ  凹条部
３ｃ  凹条部
４    ホルダー本体
５    ホルダー部
【図１】
0005447993.tif 000002
【図２】
0005447993.tif 000003
【図３】
0005447993.tif 000004
【図４】
0005447993.tif 000005
【図５】
0005447993.tif 000006
【図６】
0005447993.tif 000007
【図７】
0005447993.tif 000008
【図８】
0005447993.tif 000009
【図９】
0005447993.tif 000010
【図１０】
0005447993.tif 000011
【図１１】
0005447993.tif 000012
【図１２】
0005447993.tif 000013
【図１３】
0005447993.tif 000014